(57)【要約】【課題】  ミキシングシステムにおいて、迅速にクリップ箇所の特定および信号処理の設定変更を行う。そして、クリップの発生を回避する。【解決手段】  複数の入力信号に対して行われる複数の信号処理あるいは混合処理された信号のクリップ状態を検出するクリップ検出過程ＳＰ１２と、前記各信号処理あるいは混合処理の機能を示したブロック図を表示するブロック図表示過程ＳＰ２４と、前記クリップ状態が発生した信号処理あるいは混合処理の機能を前記ブロック図上に表示するクリップ表示過程ＳＰ２６とを設けた。【選択図】  図２
2005064818.tif 000002
【特許請求の範囲】
【請求項１】
複数の入力チャンネルの信号に対して行われる複数の信号処理あるいは混合処理された信号のクリップ状態を検出するクリップ検出過程と、
前記各信号処理あるいは混合処理の機能を示したブロック図を表示するブロック図表示過程と、
前記クリップ状態が発生した信号処理あるいは混合処理の機能を前記ブロック図上に表示するクリップ表示過程と
を有することを特徴とするクリップ状態表示方法。
【請求項２】
前記ブロック図表示過程は、前記複数の入力チャンネルのうち一部の入力チャンネルの信号に対して行われる信号処理あるいは混合処理の機能を示したブロック図を表示する過程であって、前記クリップ状態が発生した入力チャンネルを含むチャンネルについてのブロック図を自動的に表示する過程である
ことを特徴とする請求項１記載のクリップ状態表示方法。
【請求項３】
請求項１ないし２の何れかに記載のクリップ状態表示方法を実行することを特徴とするクリップ状態表示装置。
【請求項４】
請求項１ないし２の何れかに記載の方法を実行させることを特徴とするプログラム。
【発明の詳細な説明】
【技術分野】
【０００１】
本発明は、音声信号のミキシング装置に用いて好適なクリップ状態表示方法、クリップ状態表示装置およびプログラムに関する。
【背景技術】
【０００２】
従来より、複数の入力チャンネルの音声信号を合成するミキシング装置が知られており、該ミキシング装置においては各入力チャンネル毎にレベル調整、イコライザ調整等の各種信号処理が行われている。特許文献１においては、各調整ポイント（メータリングポイント）毎に音声信号レベルをモニターすることにより、クリップが発生し所定のレベル条件が満たされた場合には警告表示を行う技術が開示されている。
【特許文献１】特開２００２−１９１０９１
【発明の開示】
【発明が解決しようとする課題】
【０００３】
ところで、信号レベルが大きくクリップが発生する場合には、音声信号の劣化が激しくなる。したがって、出来るだけ迅速にクリップ箇所の特定および信号処理の設定変更を行い、クリップの発生を回避する必要がある。
この発明は、上述した事情に鑑みてなされたものであり、迅速に信号処理の設定を変更することが出来るクリップ状態表示方法、クリップ状態表示装置およびプログラムを提供することを目的としている。
【課題を解決するための手段】
【０００４】
上記課題を解決するため本発明にあっては、下記構成を具備することを特徴とする。なお、括弧内は例示である。
請求項１記載のクリップ状態表示方法にあっては、複数の入力チャンネルの信号に対して行われる複数の信号処理あるいは混合処理された信号のクリップ状態を検出するクリップ検出過程（ＳＰ１２）と、前記各信号処理あるいは混合処理の機能を示したブロック図を表示するブロック図表示過程（ＳＰ２４）と、前記クリップ状態が発生した信号処理あるいは混合処理の機能を前記ブロック図上に表示するクリップ表示過程（ＳＰ２６）とを有することを特徴とする。
さらに、請求項２記載の構成にあっては、請求項１記載のクリップ状態表示方法において、前記ブロック図表示過程は、前記複数の入力チャンネルのうち一部の入力チャンネルの信号に対して行われる信号処理あるいは混合処理の機能を示したブロック図を表示する過程であって、前記クリップ状態が発生した入力チャンネルを含むチャンネルについてのブロック図を自動的に表示する過程であることを特徴とする。
また、請求項３記載のクリップ状態表示装置にあっては、請求項１ないし２の何れかに記載のクリップ状態表示方法を実行することを特徴とする。
また、請求項４記載のプログラムにあっては、請求項１ないし２の何れかに記載の方法を実行させることを特徴とする。
【発明の効果】
【０００５】
以上説明したように本発明の構成によれば、複数の入力信号に対して行われる複数の信号処理あるいは混合処理の機能を示したブロック図上に、クリップが発生した信号処理あるいは混合処理の機能が表示される。
【発明を実施するための最良の形態】
【０００６】
次に、本発明の最良の形態である実施例について説明する。
【実施例１】
【０００７】
1．実施例の構成
本発明の一実施例であるミキシング装置（クリップ状態表示装置）の構成を図１を参照して説明する。
図において、１０は入出力インターフェースであり、アナログ入出力インターフェース、デジタル入出力インターフェースから構成され、音声信号（楽音信号を含む。）が入出力される。そして、入出力インターフェース１０には、入力端子、出力端子が複数設けられ、マイク、電子楽器等の楽音機器が接続される。なお、アナログ入出力インターフェースにおいてはＡ／Ｄ変換器、Ｄ／Ａ変換器が使用され、アナログ音声信号とデジタル音声信号とが変換される。
【０００８】
２０はＤＳＰであり、入出力インターフェース１０から入力された複数チャンネルの音声信号をデジタル信号処理する。３０は操作部であり、各種スイッチ、キーボード、マウスが設けられる。４０は表示部であり、液晶表示パネルにより構成される。さらに、表示部４０はタッチパネル機能を有しており、液晶表示パネルを手で触れるとその位置情報が検出される。５０はＣＰＵであり、各部を制御する。６０はＲＡＭであり、ワークメモリとして使用される。７０はフラッシュＲＯＭであり、制御プログラム、各種パラメータが記憶されている。また、ＤＳＰ２０内で行われる信号処理の各種設定が記憶されている。９０はバスラインであり、各部を接続する。以上の構成要素により、本実施例のミキシング装置（クリップ状態表示装置）１００が構成されている。
【０００９】
2．実施例の動作
（１）通常動作
電源投入と同時に図２（ａ）のルーチンが起動される。
図において処理がステップＳＰ１０に進むと、フラッシュＲＯＭ７０に記憶された内容にしたがって、入出力インターフェース１０の機能およびＤＳＰ２０の処理機能が初期設定される。それにより、入出力インターフェース１０を介して入力された複数チャンネルの各音声信号に対してレベル調整、イコライザ調整等の信号処理と、その信号処理された各信号の混合処理とがＤＳＰ２０において実行される。さらに、混合処理された音声信号が各チャンネル毎のモノラル信号としてあるいはステレオ信号として出力される。さらに、フラッシュＲＯＭ７０に記憶された内容にしたがって、レベルエンコーダ等の操作子、レベルメータ等が表示される。そして、処理はステップＳＰ１２に進む。
【００１０】
ステップＳＰ１２においては、イベントの有無が判定される。ここで、「イベント」には、後述するクリップ発生イベント、グラフ指定イベント、エンコーダ操作イベント等が含まれる。イベントが発生していなければ「ＮＯ」と判定され、処理はステップＳＰ１２に戻り、判定が繰り返される。そして、ＤＳＰ２０による信号処理が続行される。一方、何らかのイベントが発生すると、処理はステップＳＰ１４に進み、イベント処理が行われる。たとえば、所定の操作ボタンがクリックされれば、各機能の詳細な特性を設定する特性設定画面が表示部４０に表示される。
【００１１】
（２）ブロック図の表示
複数の入力チャンネルのミキシング処理が行われているときに、入力信号が過大になるとクリップが発生する。処理の詳細については後述するが、クリップが発生すると、信号処理あるいは混合処理の機能を示したブロック図が、クリップが発生した入力チャンネルについて表示部４０に表示される。このブロック図は、クリップの発生の有無にかかわらず、ユーザの操作によっても任意のチャンネルのブロック図を表示可能である。さらに、該ブロック図上には複数のレベルメータが表示され、クリップが発生した旨を報知するためにクリップ表示部が点灯する。ここで、クリップとは信号レベルが過大であり、デジタル化された信号の最大限度値に瞬時値が制限された状態をいう。
【００１２】
具体的に図３に、第１チャンネルおよび第２チャンネルについてクリップが発生した場合のブロック図等の表示例を示す。上から２段目に第１チャンネルのレベルメータが、３段目に第１チャンネルのブロック図が、４段目に第２チャンネルのブロック図が、５段目に第２チャンネルのレベルメータが表示されている。以下、ブロック図等の内容を１段目を含めて詳述する。
【００１３】
２０１，２０２は入力チャンネル切替メニューであり、各表示チャンネルについて、入力端子の割当を左右の移動ボタンによって変更する。図においては、「ｃｈ_１」の入力端子に第１チャンネルが割り当てられ、「ｃｈ_２」の入力端子に第２チャンネルが割り当てられている。２１１，２２１はアッテネータ（ＡＴＴ）エンコーダであり、エンコーダの回転を行うことにより減衰率を−９６ｄＢから＋２４ｄＢの間で設定する。また、エンコーダの近傍に表示されている「設定値」の入力ボックスにキーボードを用いて数値を直接入力することによっても減衰率が設定される。
【００１４】
２１２，２２２はハイパスフィルタ（ＨＰＦ）エンコーダであり、ハイパスフィルタのカットオフ周波数を２０Ｈｚから６００Ｈｚまでの間で設定する。２１３，２２３はイコライザ（ＥＱ）グラフであり、設定されたイコライザ特性を周波数の関数としてグラフ表示する。図においては、２０Ｈｚから１０ｋＨｚまでの全周波数範囲でゲインが「０」ｄＢに設定され、平坦な周波数特性が表示されている。
【００１５】
２１４，２２４はノイズゲート（ＧＡＴＥ）グラフであり、設定レベル以下の信号（ノイズ）を遮断し、設定レベル以上の信号を通過させるゲート機能の特性をグラフ表示する。２１５，２２５はコンプレッサ（ＣＯＭＰ）グラフであり、設定値以上の入力レベルのときに増幅率を低減し、設定値以下の信号を通過させることにより、出力レベルを圧縮させるコンプレッサ機能の特性をグラフ表示する。２１６，２２６はＤＥＬＡＹエンコーダであり、入力信号を遅延させる遅延時間を設定する。たとえば、離れて設置されたマイク間の時間差を補正する場合にＤＥＬＡＹ機能が使用される。
【００１６】
２１７，２２７はレベル（ＬＥＶＥＬ）エンコーダであり、出力レベルを−∞から＋１０ｄＢの間で設定する。２１８，２２８はＯＮ／ＯＦＦ表示器であり、各入力信号を出力段に出力するか否かを表示する。図においては、スイッチが「ＯＮ」状態に設定され、音声信号が出力段に出力される旨が表示されている。２１９，２２９はＰＡＮエンコーダであり、音声信号を左右の各出力チャンネルに分配する。図においては、センター（Ｃ）に設定され、左右の各チャンネルに同量づつ音声信号が分配される。
【００１７】
なお、ハイパスフィルタ（ＨＰＦ）エンコーダ２１２，２２２、ＤＥＬＡＹエンコーダ２１６，２２６、レベル（ＬＥＶＥＬ）エンコーダ２１７，２２７、ＰＡＮエンコーダ２１９，２２９は、アッテネータ（ＡＴＴ）エンコーダ２１１，２２１と同様にエンコーダの回転により分配率が設定される。さらに、ハイパスフィルタ（ＨＰＦ）エンコーダ２１２，２２２、イコライザ（ＥＱ）グラフ２１３，２２３、ノイズゲート（ＧＡＴＥ）グラフ２１４，２２４、コンプレッサ（ＣＯＭＰ）グラフ２１５，２２５、ＤＥＬＡＹエンコーダ２１６，２２６の「文字ボタン」をクリックすると各機能の特性を詳細に設定する「特性設定画面」が表示される（図示略）。
【００１８】
２０３，２０４，２０５，２０６はインサーションエフェクト設定領域であり、エコー等のインサーションエフェクトを設定する。インサーションエフェクトが設定された場合に「エフェクト名」が表示される。なお、図においてはインサーションエフェクトが設定されておらず「ＮＯ＿ＡＳＳＩＧＮ」の文字列が表示されている。
【００１９】
さらに、アッテネータ（ＡＴＴ）エンコーダ２２１から、ＰＡＮエンコーダ２２９まで上記各エンコーダ、グラフ間を接続する「信号線２４０，２４２，２４４，２４６」が表示されている。これにより、各入力チャンネルに設定された処理機能の流れを示したブロック図が構成される。ここで、インサーションエフェクト設定領域２０３，２０４，２０５，２０６に対しては、イコライザ（ＥＱ）グラフ２１５，２２５から該領域に接続するように「信号線２４２」が表示され、該領域からノイズゲート（ＧＡＴＥ）グラフ２１４，２２４に接続するように「信号線２４４」が表示されている。すなわち、イコライザ（ＥＱ）機能とノイズゲート（ＧＡＴＥ）機能との間にインサーションエフェクト機能が挿入される。以上により各チャンネルのブロック図が構成される。次に、各チャンネルのブロック図と共に表示されるレベルメータについて説明する。
【００２０】
２３０，２３０，…，２３０，２３５，２３５，…，２３５はレベルメータであり、アッテネータ（ＡＴＴ）入力部、イコライザ（ＥＱ）入力部および出力部、インサーションエフェクト出力部、ノイズゲート（ＧＡＴＥ）入力部および出力部、コンプレッサ（ＣＯＭＰ）入力部および出力部、レベル（ＬＥＶＥＬ）出力部、ＰＡＮ入力部を測定ポイント（メータリングポイント）として、各ポイントの信号レベルが逐次表示される。なお、これらの測定ポイントは各処理によって音声信号のレベルが増加する可能性があるポイントである。また、各レベルメータの最上段をクリップ表示部といい、クリップ（ＣＬＩＰ）状態の発生をホールドし、「クリップリセット」ボタンのクリック等、所定のリセット処理がされるまで点灯表示し続ける。
【００２１】
（３）クリップ発生イベント
ＤＳＰ２０において通常の信号処理、混合処理が行われている場合において、入力信号レベルが過大になり何れか一つあるいは複数のポイント（メータリングポイント）においてクリップ状態になり、クリップ発生イベントが発生する場合がある。
図２（ａ）のステップＳＰ１２において、クリップ発生イベントが発生すると、「ＹＥＳ」と判定され、処理はステップＳＰ１４に進み、図２（ｂ）に示されるクリップ発生ルーチンが起動する。
ステップＳＰ２２においては、「自動表示モード」に設定されているか否かの判定が行われる。ここで、自動表示モードとは、クリップ時に図３に示されるブロック図を自動的に表示するモードのことである。「自動表示モード」に設定されていなければ「ＮＯ」と判定され、処理は元のルーチンに戻る。それにより、クリップの発生にかかわらず、クリップ発生前の画面表示が続行される。
【００２２】
一方、「自動表示モード」に設定されている場合には「ＹＥＳ」と判定され、処理はステップＳＰ２４に進む。ステップＳＰ２４においては、クリップが発生した入力チャンネルについてのブロック図（レベルメータを除く。）が表示される。そして、ステップＳＰ２４においてレベルメータ２３０，２３０，…，２３０，２３５，２３５，…，２３５が表示される。さらに、クリップが発生した機能に係るクリップ表示部が点灯する。具体的には、レベル（ＬＥＶＥＬ）出力部、ＰＡＮ入力部についてのクリップ表示部が点灯する。それにより、図２の表示が完了する。
【００２３】
そして、処理はステップＳＰ２６に進み、クリップが発生した機能に係る「信号線」の表示が強調される。具体的に図２においては、レベル（ＬＥＶＥＬ）出力部、ＰＡＮ入力部に係る「信号線２４６」が濃淡表示によって強調される。そして、処理は元のルーチンに戻る。それにより、ステップＳＰ１２において、イベント有無の判定が繰り返される（図２（ａ）参照）。
【００２４】
（４）グラフ指定イベント
次に、図２（ｂ）のルーチンの起動により、ブロック図が表示されているところに、各機能の特性を変更するために、ブロック図上の機能が指定されることがある。また、イコライザ（ＥＱ）グラフ２１５，２２５、ノイズゲート（ＧＡＴＥ）グラフ２１４，２２４、コンプレッサ（ＣＯＭＰ）グラフ２１５，２２５の各グラフ部分が手で触れられ、グラフ指定イベントが発生することがある。なお、グラフ部分をマウスで指定してクリックしてもグラフ指定イベントの発生と認識される。
【００２５】
再び図２（ａ）において、ステップＳＰ１２において、グラフ指定イベントの発生によって「ＹＥＳ」と判定され、処理はステップＳＰ１４に進む。そして、図２（ｄ）に示される特性設定ルーチンが起動する。ステップＳＰ４０において、特性を設定するためのエンコーダ等が表示される「特性設定画面」が表示され、処理は元のルーチンに戻る。
【００２６】
（５）エンコーダ操作イベント
上述した「特性設定画面」に表示されているエンコーダの操作によってエンコーダ操作イベントが発生する。さらに、ブロック図上のアッテネータ（ＡＴＴ），ハイパスフィルタ（ＨＰＦ），ＤＥＬＡＹ，レベル（ＬＥＶＥＬ），ＰＡＮの各エンコーダが操作され、エンコーダ操作イベントが発生することがある。
【００２７】
再び図２（ａ）のステップＳＰ１２において、エンコーダ操作イベントが発生すると「ＹＥＳ」と判定される。そして、処理はステップＳＰ１４に進み、図２（ｃ）に示されるエンコーダ操作ルーチンが起動する。ステップＳＰ３０において、各機能の特性が再設定される。図３の場合においては、レベル（ＬＥＶＥＬ）エンコーダ２１７，２２７の調整によりクリップ状態が回避される。また、アッテネータ（ＡＴＴ）エンコーダ２１１，２２１の調整、コンプレッサの再調整によってもクリップ状態を回避することが出来る。そして、処理は元のルーチンに戻る。なお、「クリップリセット」ボタンのクリック等、所定のリセット処理が行われることにより、クリップ表示部が消灯する。
【００２８】
以上のように本実施例によれば、クリップが発生した信号処理あるいは混合処理の機能がブロック図上に表示されるので、クリップ箇所の特定および信号処理の設定変更が迅速に行われる。また、ブロック図上に表示されたグラフの指定・選択により特性設定のページが表示されるので、即座に特性の再設定を行うことが出来る。
【００２９】
3．変形例
本発明は上述した実施例に限定されるものではなく、例えば以下のような種々の変形が可能であり、全て本発明の範疇に含まれる。
（１）上記実施例においては、全入力チャンネルのレベルメータ・レベルエンコーダが表示される通常表示から、クリップが発生した場合に自動的にクリップ発生チャンネルのブロック図を表示したが、全入力チャンネルについてのブロック図を通常表示とし、クリップが発生した場合にグラフ部分を指定して、機能設定画面を表示する動作モードを設けてもよい。また、クリップが発生した場合、その要因となっているブロックの特性設定画面に自動的に、直接、移行して、設定変更を促すようにしてもよい。例えば、あるチャンネルのＥＱ（イコライザ）でクリップが発生したら、クリップ発生のアラームとともに、対応のＥＱ特性設定画面に移行して、修正操作を待つようにしてもよい。
（２）上記実施例は、フラッシュＲＯＭ７０に格納されたプログラムによって処理機能設定方法を実行したが、このプログラムをＣＤ−ＲＯＭ、フレキシブルディスク等の記憶媒体に格納して頒布し、あるいは電気通信回線を通じて頒布してもよい。
【図面の簡単な説明】
【００３０】
【図１】本発明による一実施例であるミキシング装置（クリップ状態表示装置）の構成図である。
【図２】ミキシング装置（クリップ状態表示装置）のフローチャートである。
【図３】表示部に表示されるブロック図表示例である。
【符号の説明】
【００３１】
１０…入出力インターフェース、１５…通信インターフェース、２０…ＤＳＰ、３０…操作部、４０…表示部、５０…ＣＰＵ、６０…ＲＡＭ、７０…フラッシュＲＯＭ、９０…バスライン、１００…ミキシング装置（クリップ状態表示装置）、２０１，２０２…入力チャンネル切替メニュー、２０３，２０４，２０５，２０６…インサーションエフェクト設定領域、２１１，２２１…アッテネータ（ＡＴＴ）エンコーダ、２１２，２２２…ハイパスフィルタ（ＨＰＦ）エンコーダ、２１３，２２３…イコライザ（ＥＱ）グラフ、２１４，２２４…ノイズゲート（ＧＡＴＥ）グラフ、２１５，２２５…コンプレッサ（ＣＯＭＰ）グラフ、２１７，２２７…レベル（ＬＥＶＥＬ）エンコーダ、２１８，２２８…ＯＮ／ＯＦＦ表示器、２１９，２２９…ＰＡＮエンコーダ、２３０，２３５…レベルメータ。
【図１】
2005064818.tif 000003
【図２】
2005064818.tif 000004
【図３】
2005064818.tif 000005